(57)【特許請求の範囲】
【請求項１】
少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成される編地の最終コースの編目列に対し、最終コースの編目列のループに続いて伏目編目列のループを形成し、新たに形成した伏目編目列のループをさらに次の最終コースの編目列のループと重ねる編成を伏目領域の一端側から他端側に向かい繰り返し、解れ止め処理する伏目処理方法において、
伏目領域における最終コースの編目列の複数のループを起点としてｎ本の伏目編目列を形成し、伏目編目列のループを伏目の過程で最終コースの編目列のループと重ねる際に、各伏目編目列のループを伏目処理の進行方向においてｎ本分前方に位置するウエールのループと重ねることを特徴とする伏目処理方法。
【請求項２】
伏目処理する編地が第一針ベッドに付属して編成される第一編地と第二針ベッドに付属して編成される第二編地が前後に重ねられて編成される二層状の編地であって、
第一編地における最終コースの編目列のループを第二針ベッド上に係止させ、第二編地における最終コースの編目列のループを第一針ベッド上に係止させ、続いて第一編地又は第二編地の何れか一方の最終コースの編目列のループを対向する針ベッド上に目移しして第一編地と第二編地の最終コースの編目列のループ同士を重ねることを特徴とする請求項１に記載の伏目処理方法。
【請求項３】
少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成しかつ伏目された編地であって、
最終コースの編目列のループを起点として複数の伏目編目列が形成され、伏目編目列のループが２ウエール以上離れた所定ウエール毎の最終コースの編目列のループと重ねられることを特徴とする編地。
【請求項４】
各伏目編目列が最終コースの編目列のウエール数より少ない伏目ループにより形成されることを特徴とする請求項３に記載の編地。
【請求項５】
少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成される編地の最終コースの編目列に対し、最終コースの編目列のループに続いて伏目編目列のループを形成し、新たに形成した伏目編目列のループをさらに次の最終コースの編目列のループと重ねる編成を伏目領域の一端側から他端側に向かい繰り返し、解れ止め処理するためのＣＡＤ装置であって、以下の編成指令を発生させることを特徴とするＣＡＤ装置：
伏目領域における最終コースの編目列の複数のループを起点としてｎ本の伏目編目列を形成し、伏目編目列のループを伏目の過程で最終コースの編目列のループと重ねる際に、各伏目編目列のループを伏目処理の進行方向においてｎ本分前方に位置するウエールのループと重ねる。
【発明の詳細な説明】
技術分野
本発明は多数の針が針溝内に装着された針ベッドを少なくとも前後一対に備えた横編機を使用し編成される編地の端縁の解れ止めを編機上で施す伏目処理方法に関する。また、そのようにして伏目処理された編地、及び伏目処理するためのＣＡＤ装置に関する。
背景技術
横編機を使用して編成した編地端縁となる最終コースの編目列を編機上で解れ止めする伏目処理が公知である。伏目処理は編地最終コースの編目列に対し、編地の一端側から他端側に向かい隣接する編目同士を重ね合わせ、この重ね目に次コースの編目を形成する編成を繰り返して編目を順次編針から外す。前後それぞれの針ベッドを利用し、前側編地と後側編地が前後に重ねられた２層の編地を編成し、この２層の編地の最終コースの編目列に対して伏目を行うことで、両編地を編み終わり側で接合できる。この伏目を例えばセーターの肩部で行って前身頃と後身頃を接合すれば、編成完了後、縫製作業により接合する作業を省略できる。
セーターの前身頃と後身頃のように、前後重ねられた状態で編成される編地を接合して解れ止め処理する伏目に関し、本願出願人は日本特許公開平８−３３７９４６号を先に提案した。日本特許公開平８−３３７９４６号では、対向配置される前編地と後編地の編目をそれぞれ一旦対向する針ベッドの針に目移しした後、後編地の編目を前編地の編目に重ね、この重ね目に続く伏目編目を形成する編成を繰り返して伏目する。該伏目方法では前編地と後編地の接合部に沿って１列の伏目編目列が形成される。なお、本明細書において伏目編目列とは伏目処理の際に形成されるチェーンステッチを意味する。
上記した日本特許公開平８−３３７９３６号の伏目方法では、一列の伏目編目列のみが形成され、伏目の過程で形成される伏目編目列のループ数は伏目領域のウエール数と等しい。
本発明は編地端縁部の編目を編成により解れ止め処理する伏目方法に関し、伏目箇所を補強するとともに、伸びを抑えることのできる伏目処理方法および伏目処理された編地、伏目処理するためのＣＡＤ装置を開示するものである。
発明の開示
上記した課題を解決するため、本発明の伏目処理方法は、少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成される編地の最終コースの編目列に対し、最終コースの編目列のループに続いて伏目編目列のループを形成し、新たに形成した伏目編目列のループをさらに次の最終コースの編目列のループと重ねる編成を伏目領域の一端側から他端側に向かい繰り返し、解れ止め処理する伏目処理方法において、伏目領域における最終コースの編目列の複数のループを起点としてｎ本の伏目編目列を形成し、伏目編目列のループを伏目の過程で最終コースの編目列のループと重ねる際に、各伏目編目列のループを伏目処理の進行方向においてｎ本分前方に位置するウエールのループと重ねることを特徴とする。上記の発明の構成によれば、伏目領域の最終コースの編目列の複数のループを起点として伏目編目列のループを形成し伏目処理の進行方向においてｎ本分前方のウエールの最終コースの編目列のループと重ねる編成を繰り返してｎ本の伏目編目列を形成する。伏目編目列の形成は、各伏目編目列を並行して形成してもよいし、どれか１列の伏目編目列を連続して最後まで形成した後、他の伏目編目列を形成してもよい。このようにして伏目処理することで伏目箇所に複数の伏目編目列が形成され伏目箇所が補強され、伸び抑えられる。さらに、形成する伏目編目列の数やループ長、伏目処理の際に形成する伏目編目列の編回数の調整により伏目編目列の長さを自由に変えられる。
また、伏目処理する編地が第一針ベッドに付属して編成される第一編地と第二針ベッドに付属して編成される第二編地が前後に重ねられて編成される二層状の編地であって、第一編地における最終コースの編目列のループを第二針ベッド上に係止させ、第二編地における最終コースの編目列のループを第一針ベッド上に係止させ、続いて第一編地又は第二編地の何れか一方の最終コースの編目列のループを対向する針ベッド上に目移しして第一編地と第二編地の最終コースの編目列のループ同士を重ねることも特徴の一つである。上記の発明の構成によれば、第一編地または第二編地の何れかの最終コースの編目列のループが捻られた状態で他方の最終コースの編目列のループと重ねられ、伏目箇所が突出することなく接合されて解れ止め処理される。
また、本発明の伏目処理された編地は、少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成しかつ伏目された編地であって、最終コースの編目列のループを起点として複数の伏目編目列が形成され、伏目編目列のループが２ウエール以上離れた所定ウエール毎の最終コースの編目列のループと重ねられることを特徴とする。
また、各伏目編目列が最終コースの編目列のウエール数より少ない伏目ループにより形成されることも特徴の一つである。
また、本発明の伏目処理するためのＣＡＤ装置は、少なくとも前後一対の針ベッドを備え、各針ベッドは多数の針を備え、前後に対向配置される第一針ベッドと第二針ベッド間の領域を歯口とし、かつ第一針ベッドと第二針ベッドの少なくとも一方が左右に摺動可能で、第一針ベッドと第二針ベッドの針に給糸するための少なくとも１つの給糸口を備えた横編機を使用して編成される編地の最終コースの編目列に対し、最終コースの編目列のループに続いて伏目編目列のループを形成し、新たに形成した伏目編目列のループをさらに次の最終コースの編目列のループと重ねる編成を伏目領域の一端側から他端側に向かい繰り返し、解れ止め処理するためのＣＡＤ装置であって、伏目領域の最終コースの編目列の複数のループを起点としてｎ本の伏目編目列を形成し、伏目編目列のループを伏目の過程で最終コースの編目列のループと重ねる際に、各伏目編目列のループを伏目処理の進行方向においてｎ本分前方に位置するウエールのループと重ねる編成を実行することを特徴とする。
発明を実施するための最良の形態
次に本発明の実施の一例を、平編地の最終コースを伏目処理する場合を例に編成コース第１図およびループ第２図、および第３図を使用して説明する。なお、第２図においては最終コースの編目列以降のループのみを示し、アルファベットは第１図のコース０において係止されていた針を示す。以下の説明では上面に多数の針を備えた針ベッドを歯口を挟んで前後一対備え、後ベッドが前ベッドに対し左右方向に相対移動可能な二枚ベッド横編機を使用し、ループの形成に使用する針間に目移し用の空き針を配置しない全針編成を行う場合を説明する。しかしながら、本発明は前後一対の針ベッド上に目移し用部材が下部針ベッドと同ピッチで配置される上部ベッドを備えた四枚ベッド横編機を使用することもできる。また、二枚ベッド横編機で前側編地の編成に奇数番目の針を、後側編地の編成に偶数番目の針を使用し、前側編地及び後側編地をそれぞれ一本置きの針を使用し、前側編地編成時に後側編地のループを全て後ベッドの針に係止させ、後側編地編成時に前側編地のループを全て前ベッドの針に係止させて編成する針抜き編成により編成してもよい。針抜き編成では前側編地を前ベッドに付属させ、後側編地を後ベッドに付属させて編成することで、対向する針ベッド上に常に目移し用の空き針を確保することが可能となり、前側編地及び後側編地を表目又は裏目として形成したり、前後ベッドのラッキングと組み合わせることで側方移しを可能として編成してもよい。
第１図のコース０は伏目処理開始前を示す。コース０の針Ｂ〜Ｊに平編地の最終コースの編目列のループが係止されており、針Ｂ〜Ｊに係止されるループを左端から右方向に向かって伏目処理し、以下の説明において伏目処理の進行方向とは左から右に向かう方向を意味する。コース１では給糸口１で前ベッドの針Ｂに給糸して伏目領域の側端ループ２を起点とし第一の伏目編目列のループ３を形成する。次にコース２ではループ３を後ベッドの針ｂに目移しし、コース３では給糸口１を編成の邪魔にならない位置へと移動させた後、ループ３を前ベッドの針Ｄに目移しし、伏目処理の進行方向においてループ２の２ウエール前方に位置する最終コースの編目列のループ４と重ねる。コース４では前ベッドの針Ｃに給糸して最終コースの編目列のループ５を起点とし第二の伏目編目列のループ６を形成する。コース５ではループ６を後ベッドの針ｃに目移しし、コース６ではループ６を前ベッドの針Ｅに目移しして、伏目処理の進行方向において２ウエール前方に位置する最終コースの編目列のループ７と重ねる。以降、コース１〜６の編成の対象となるループを伏目処理の進行方向に移行しながら、新たに形成した伏目編目列のループを最終コースの編目列のループと重ね合わせ、該重ね目に給糸して次コースの伏目編目列のループを形成する編成を繰り返して最終コースの編目列のループを順次伏目処理する。
第２図及び第３図に示すように、第一実施例により伏目処理された編地は、針Ｂ・Ｄ・Ｆ…と一本置きの針で形成されたループが重ねられて形成された第一の伏目編目列１１と、針Ｃ・Ｅ・Ｇ…と一本置きの針で形成されたループが重ねられて形成された第二の伏目編目列１２の２列の伏目編目列が形成される。各伏目編目列は、伏目領域のウエール数と同数の伏目編目列のループを形成する伏目方法に比べ、２本の伏目編目列を形成することで、各伏目編目列は２分の１のループにより形成された伏目編目列が２本並行して形成される。上記のように本実施例では２列の伏目編目列が形成されるので、１列の伏目編目列のみを形成する場合に比べ伏目箇所を補強できる。
次に第二実施例を第４図のセーター２１の肩部を伏目処理する場合を例に第４〜７図を使用して説明する。第４図は編成対象となるセーター２１の完成状態を示す。セーター２１は前身頃２２ａと後身頃２２ｂが前後に重ねられ両端で連続する筒状の身頃２２と、同じく筒状の左右の袖２３，２４が脇２５ａ，２５ｂから肩２６ａ，２６ｂにかけ接合されてなる。身頃２２は裾ゴム２７から袖２３，２４は袖口２８，２９から編成が開始され、身頃２２と左右の袖２３，２４をそれぞれ独立した筒状編地として編み進み、脇部２５で袖２３，２４の最終コースのループを身頃２２の側端部のループと重ね合わせながら身頃２２を編進んで袖２３，２４と身頃２２を接合し、接合完了後、前身頃２２ａと後身頃２２ｂを肩部２６において伏目処理により接合する。なお、肩部２６ａ，２６ｂにおける伏目処理開始前の編成に関しては公知であるため、本実施例では、左右の袖２３，２４と身頃２２の接合が完了し、続いて肩部２６の伏目を開始する時点から説明する。なお、実際の編成では衿首用開口３０を挟んだ左右の肩２６ａ，２６ｂをそれぞれ伏目処理するが、本実施例では説明の便宜上、セーターの右肩２６ａを伏目する編成のみ説明する。本実施例では肩先側から伏目処理を開始し衿首用開口３０に向かって伏目する。
第５図のコース０では前ベッドの針Ｂ〜Ｇに後に伏目処理されて右肩２６ａとなる前身頃２２ａの前肩部が、後ベッドの針ｂ〜ｊに後身頃２２ｂの後肩部が係止される。左側が肩先側で前ベッドの針Ｈ〜Ｊが衿首用開口３０である。コース１では後肩部の側端ループ４１を前ベッドの針Ｂに係止される前肩部の側端ループ４２の外側に目移しする。コース２では空き針となった後ベッドの針ｂに前肩部の側端ループ４２を目移し、コース３では前記後肩部の側端ループ４１を後ベッドの針ｂに移し戻して前肩部の側端ループ４２と重ねる。コース４では給糸口４３で針ｂに給糸し、前肩部と後肩部の側端ループの重ね目を起点として第一の伏目編目列のループ４４を形成する。コース５では給糸口４３を編成の邪魔にならない位置へと移動させた後、新たに形成したループ４４を前ベッドの針Ｄに目移しし、前肩部のループ４５と重ねる。コース６ではコース１で目移ししたループ４１の伏目処理の進行方向において前方に位置する針ｃのループ４６を前ベッドの針Ｂに目移しする。コース７では前ベッドの針Ｃのループ４７を後ベッドの空き針ｃに目移しし、コース８では前ベッドの針Ｂに目移しした後肩部のループ４６を針ｃに目移しして前肩部のループ４７と重ねる。そしてコース９では針ｃに給糸口４４で給糸して前記重ね目を起点として第二の伏目編目列のループ４８を形成する。コース１０では給糸口４４を移動させた後、新たに形成したループ４８を前ベッドの針Ｅに目移しして最終コースの編目列のループ４９と重ねる。以降コース１〜１０の編成を伏目の進行方向に向かって編成の対象となるループを移行しながら右肩２６ａの全ループの伏目が完了するまで繰り返す。
第二実施例により伏目された編地を第７図に示す。コース０で針Ｂに係止されていたループ４２と針ｂのループ４１の重ね目に新たに形成されたループ４４が針Ｄおよび針ｄのループ４５，５１と重ねられ、同様に針Ｃと針ｃのループ４６，４７の重ね目に新たに形成されたループ４８が針Ｅと針ｅのループ４９，５０と重ねられる。第二実施例により伏目処理された編地は、針Ｂ・ｂ、針Ｄ・ｄ、針Ｆ・ｆ…と一本置きの針で形成されたループと重ねられて形成された第一の伏目編目列５２と、針Ｃ・ｃ、針Ｅ・ｅ、針Ｇ・ｇ…と一本置きの針で形成されたループが重ねられて形成された第二の編目列５３の２列の伏目編目列が形成される。第一の伏目編目列５２および第二の伏目編目列５３は共に、伏目領域のウエール数の半分のループから構成される。第二実施例では、前肩部における最終コースの編目列のループを後ベッド上に係止させ、後肩部における最終コースの編目列のループを第一針ベッド上に係止させ、続いて前肩部における最終コースの編目列のループを対向する針ベッド上に目移しして前肩部と後肩部における最終コースの編目列のループ同士を重ねたので、後肩部における最終コースの編目列のループが捻られて前肩部のループと重ねられ伏目箇所の突出を回避できる。また伏目編目列のループ４４、４８が他の伏目編目列のループと最終コースの編目列のループ５１，５２，５０，４９の下に隠れるため、ウエール方向の異なる伏目編目列のループが編地表面に現れることなく美観に優れた伏目ラインを形成できる。伏目箇所の突出を回避し、伏目編目列のループが編地内に隠れる理由に関しては前記日本特許公開平８−３３７９４６号に詳細に説明されているためここでは説明を省略する。上記のように第二実施例では２列の伏目編目列を形成するので、前記伏目領域のウエール数と同数の伏目編目列のループを形成する伏目方法に比べ各伏目編目列のコース数が２分の１となる。したがって、第４図のセーター２１のように伏目ラインが水平で、伏目編目列のループにより連結する最終コースの編目列のループ間にコース差がない場合でも、伏目編目列の数を増やすことで最終コースの編目列のループ間の間隔より伏目編目列のループが大きくなるのを防止でき、伏目編目列が弛んで伏目箇所が凸凹になるのを回避できる。
上記したように本発明によれば、形成する伏目編目列の数やループ長、伏目処理の際に形成する伏目編目列の編回数の調整により伏目編目列の長さを自由に調整できる。例えば、伏目編目列の数を増やす程、伏目箇所が補強され、伏目処理の際に形成する伏目編目列の編回数を少なくし伏目編目列のループ数を少なくした場合には、伏目箇所で編幅が絞られた編地を編成することができる。なお、上記実施例では伏目ラインが水平な場合を例に説明したが、伏目ラインが水平な箇所の伏目処理に限らない。また、上記実施例においては、２列の伏目編目列を形成する場合を説明したが、編成に使用する編糸の材質や形成するループの度目に依っては３列以上の伏目編目列を形成してもよい。伏目編目列の数を増やすことで、同じ割合で伏目編目列のループと最終コースの編目列のループを重ねるとすれば１列当たりの伏目編目列のループ数を少なくできる。３列の伏目編目列を形成する場合には、伏目編目列のループを伏目処理の進行方向において３ウエール前方のループ、４列の場合には４ウエール前方のループと重ねればよい。また、上記実施例では伏目編目列のループを１目形成する毎に最終コースの編目列のループと重ねたが、伏目編目列のループを２目以上形成する毎に最終コースの編目列のループと重ねてもよい。また、伏目処理に複数の給糸口を使用し、個々の伏目編目列を異なる給糸口を使用して形成することもできる。さらに上記実施例では第一の伏目編目列と第二の伏目編目列の形成を並行して行ったが、何れかの伏目編目列を先に形成した後、もう一方の伏目編目列を形成することも可能である。また、例えば伏目領域の左端から右方向に向かって第一の伏目編目列を右端まで連続して形成し、次に伏目処理の進行方向を反転させ、伏目領域の右端から左方向に向かって第二の伏目編目列を連続して形成してもよい。
上記した伏目処理はディスク等の記憶された編成指令を横編機に内蔵のコンピュータが読みとることで実行され、横編機のコンピュータは編成指令を解釈し横編機の各機構を制御し駆動する。伏目処理を含む主な編成方法は、サブルーチンとして編地のデザイン用のＣＡＤ装置に記憶される。この種のＣＡＤ装置はコンピュータと出力機器を備え、ディスク等に編成指令を書き込むことができる。ＣＡＤ装置は主な編成指令をサブルーチンとして記憶し、ユーザーがデザインした編地の各部に対応するサブルーチンを組み合わせて編成指令を出力する。この編成指令には編地をコンピュータ内蔵の横編機が編成するための指令が含まれている。横編機が内蔵のコンピュータにより駆動され、内蔵コンピュータはディスク等に記憶された編成指令を読みとり、編成指令はＣＡＤ装置上でユーザーがデザインした編地のデザイン画をＣＡＤ装置が解釈して発生させることは良く知られている。
産業上の利用可能性
本発明によれば伏目箇所に複数の伏目編目列が形成され、伏目箇所が補強され、伸び抑えられる。さらに、形成する伏目編目列の数やループ長、伏目処理の際に形成する伏目編目列の編回数の調整により伏目編目列の長さを自由に変えられる。
【図面の簡単な説明】
第１図は第一実施例を示す編成コース図である。第２図は第一実施例により伏目された編地のループ図である。第３図は第一実施例における編成を示す図である。第４図は第二実施例により肩部が伏目されたセーターを示す図である。第５図は第二実施例を示す編成コース図である。第６図は第二実施例を示す編成コース図である。第７図は第二実施例により伏目された編地のループ図である。
【図１】
0003881957.tif 000002
【図２】
0003881957.tif 000003
【図３】
0003881957.tif 000004
【図４】
0003881957.tif 000005
【図５】
0003881957.tif 000006
【図６】
0003881957.tif 000007
【図７】
0003881957.tif 000008